(57)【特許請求の範囲】
【請求項１】
少なくとも受信したテレビジョン信号を中間周波信号に周波数変換する混合回路と中間周波回路とを含む集積回路と、前記集積回路とは別体であって増幅度を有する中間周波増幅回路と、前記集積回路とは別体であってテレビジョン信号の中間周波帯域から外れた隣接の帯域を所定の減衰量で減衰させるＳＡＷフィルタとを備え、前記集積回路は少なくとも第一の端子と第二の端子とを有し、前記混合回路で周波数変換された前記中間周波信号を前記第一の端子から出力するとともに、前記中間周波増幅回路と前記ＳＡＷフィルタとを直列に通して、前記第二の端子から前記中間周波回路へ入力し、前記中間周波増幅回路の増幅度を、前記第一の端子と前記第二の端子との間のアイソレーションと前記ＳＡＷフィルタの前記減衰量との差の絶対値に前記ＳＡＷフィルタの挿入損失を加えた値以上としたことを特徴とするテレビジョン信号受信チューナー。
【請求項２】
前記ＳＡＷフィルタの前段に前記中間周波増幅回路を設けたことを特徴とする請求項１記載のテレビジョン信号受信チューナー。
【発明の詳細な説明】
【０００１】
【発明の属する技術分野】
本発明は、テレビジョン信号受信チューナーに関する。
【０００２】
【従来の技術】
従来のテレビジョン信号受信チューナーを図３に示すブロック構成図、及び、図４に示す選択度特性図を用いて説明する。
図３において、テレビジョン信号受信チューナーは、混合回路２１、局部発振回路２２、ＳＡＷフィルタ２３、中間周波回路２４等を有している。近年は、テレビジョン信号受信チューナーも小型化のために集積回路化され、混合回路２１、局部発振回路２２、中間周波回路２４等は、集積回路２５内に一体に形成される。
集積回路２５は他の回路と接続するための複数の端子２６乃至３３を有している。
【０００３】
そして、図示しないアンテナで受信されたテレビジョン信号ＲＦは、同調回路（図示せず）を通った後、入力端子３０を通じて集積回路２５内の混合回路２１に入力される。テレビジョン信号ＲＦは混合回路２１と局部発振回路２２とによって周波数変換され、中間周波信号ＩＦとして第一の端子２７から集積回路外に出力される。第一の端子２７から出力された中間周波信号ＩＦは、ＳＡＷフィルタ２３を通過し、第二の端子２８を通じて再び集積回路２５へ入力される。集積回路２５に再度入力された中間周波信号ＩＦは中間周波回路２４内の中間周波増幅回路３４で、後段のビディオ検波回路（図示せず）の検波動作に必要なレベルまで適宜増幅され、出力端子２９を通じて集積回路２５から出力される。
【０００４】
ＳＡＷフィルタ２３の選択度特性は、隣接チャンネルからの妨害を排除するために、図４のＡに示すように、中間周波帯域ＢＷを外れたところで急峻な減衰特性を有しており、映像中間周波信号Ｐに対する隣接の帯域内の上側隣接の映像中間周波信号＋Ｐ及び下側隣接の音声中間周波信号−Ｓの減衰量は、４５ｄＢとなっている。
尚、ＳＡＷフィルタ２３の挿入損失は１５ｄＢである。
【０００５】
一方、集積回路２５における隣接する端子間の距離が短いため端子相互間のアイソレーションが十分にとれず、例えば中間周波信号ＩＦを集積回路２５から外部に出力する第一の端子２７と再び集積回路２５内に入力する第二の端子２８との間のアイソレーションは４０ｄＢとなっている。
【０００６】
【発明が解決しようとする課題】
以上の構成において、第一の端子２７における映像中間周波信号Ｐのレベルを基準値０ｄＢとすると、ＳＡＷフィルタ２３の挿入損失が１５ｄＢであるので、図４に示すように第二の入力端子２８における映像中間周波信号Ｐのレベルは−１５ｄＢとなる。
一方、集積回路２５の第一の端子２７と第二の端子２８との間のアイソレーションは４０ｄＢであるので、第一の端子２７における上側隣接の映像中間周波信号＋Ｐ及び下側隣接の音声中間周波信号−Ｓとは基準値０ｄＢから４０ｄＢ減衰したレベルで第二の端子２８に表われる（図４の直線Ｂ参照）。
従って、ＳＡＷフィルタ２３で隣接チャネルの信号を４５ｄＢ減衰しても、第二の端子２８における映像中間周波信号Ｐのレベルと上側隣接の映像中間周波信号＋Ｐ及び下側隣接の音声中間周波信号−Ｓとのレベルの差は２５ｄＢに低下する。
このため、隣接チャネルの信号による妨害を受けやすくなり映像品質が悪化することとなる。
【０００７】
そこで、本発明は中間周波帯における映像中間周波信号Ｐのレベルと上側隣接の映像中間周波信号＋Ｐ及び下側隣接の音声中間周波信号−Ｓとのレベルの差を実質的に大きくし、テレビジョン受信機の映像品質を高めることができるテレビジョン信号受信チューナーを実現することを目的とする。
【０００８】
【課題を解決するための手段】
上記の課題を解決するため、本発明のテレビジョン信号受信チューナーは、少なくとも受信したテレビジョン信号を中間周波信号に周波数変換する混合回路と中間周波回路とを含む集積回路と、前記集積回路とは別体であって増幅度を有する中間周波増幅回路と、前記集積回路とは別体であってテレビジョン信号の中間周波帯域から外れた隣接の帯域を所定の減衰量で減衰させるＳＡＷフィルタとを備え、前記集積回路は少なくとも第一の端子と第二の端子とを有し、前記混合回路で周波数変換された前記中間周波信号を前記第一の端子から出力するとともに、前記中間周波増幅回路と前記ＳＡＷフィルタとを直列に通して、前記第二の端子から前記中間周波回路へ入力し、前記中間周波増幅回路の増幅度を、前記第一の端子と前記第二の端子との間のアイソレーションと前記ＳＡＷフィルタの前記減衰量との差の絶対値に前記ＳＡＷフィルタの挿入損失を加えた値以上とした。
【００１０】
また、本発明のテレビジョン信号受信チューナーは、前記ＳＡＷフィルタの前段に前記中間周波増幅回路を設けた。
【００１１】
【発明の実施の形態】
以下に、本発明の実施の形態を図１及び図２を用いて説明する。ここで、図１は本発明のテレビジョン信号受信チューナーのブロック構成図を示し、図２は本発明のテレビジョン信号受信チューナーにおける中間周波帯の選択度特性を示す。
図１において、テレビジョン受信機に用いられるチューナーは、混合回路１、局部発振回路２、第一の中間周波増幅回路３、ＳＡＷフィルタ４、中間周波回路５等を有している。チューナーは小型化のために集積回路化され、混合回路１、局部発振回路２、中間周波回路５等は、集積回路６内に一体に形成される。
集積回路６は他の回路と接続するための複数の端子７乃至１４を有している。
【００１２】
先ず、図１において、図示しないアンテナで受信されたテレビジョン信号ＲＦは、同調回路（図示せず）を通った後、入力端子１１を通じて集積回路６内の混合回路１に入力される。テレビジョン信号ＲＦは、混合回路１と局部発振回路２とによって周波数変換され、中間周波信号ＩＦとして第一の端子８から集積回路外に出力される。第一の端子８から出力された中間周波信号ＩＦは、集積回路６の外部に設けられた第一の中間周波増幅回路３でほぼ２０ｄＢ増幅されてから、同様に集積回路６の外部に設けられたＳＡＷフィルタ４に入力される。中間周波信号ＩＦは、ＳＡＷフィルタ４を通過し、第二の端子９を通じて再び集積回路６へ入力される。集積回路６に再度入力された中間周波信号ＩＦは中間周波回路５内の第二の中間周波増幅回路１５で、後段のビディオ検波回路（図示せず）の検波動作に必要なレベルまで適宜増幅され、出力端子１０を通じて集積回路６から出力され、ビディオ検波回路へ入力される。
【００１３】
ＳＡＷフィルタ４の選択度特性は、隣接チャンネルからの妨害を排除するために、図２のＡに示すように、中間周波帯域ＢＷを外れたところでは急峻な減衰特性を有しており、映像中間周波信号Ｐに対する隣接の帯域内の上側隣接の映像中間周波信号＋Ｐ及び下側隣接の音声中間周波信号−Ｓの減衰量は、４５ｄＢとなっている。
尚、ＳＡＷフィルタ４の挿入損失は１５ｄＢである。
【００１４】
一方、集積回路６における第一の端子８と第二の端子９との間のアイソレーションは４０ｄＢとなっている。
【００１５】
ここで、第一の端子８における映像中間周波信号Ｐのレベルを基準値０ｄＢとすると、第一の中間周波増幅回路３の増幅度が２０ｄＢであり、ＳＡＷフィルタ４の挿入損失は１５ｄＢであるので、第一の中間周波増幅回路３とＳＡＷフィルタ４とを直列に通って第二の端子９に入力される映像中間周波信号Ｐのレベルは、＋５ｄＢとなる。
一方、第一の端子８と第二の端子９との間のアイソレーションが４０ｄＢであることから（点線Ｂ参照）第一の端子８における上側隣接の映像中間周波信号＋Ｐ及び下側隣接の音声中間周波信号−Ｓのレベルは４０ｄＢ減衰して第二の端子９に現れる。この結果、ＳＡＷフィルタ４を通過した映像中間周波信号Ｐのレベルと上側隣接の映像中間周波＋Ｐ及び下側隣接の音声中間周波信号−Ｓとのレベルの差は４５ｄＢとなって、ＳＡＷフィルタ４の選択度特性がそのまま得られ、隣接チャネルの混信を防ぐことができる。
【００１６】
尚、ＳＡＷフィルタ４の選択度特性をそのまま生かすためには、ＳＡＷフィルタ４を通過した映像中間周波信号Ｐと、第一の端子８から第二の端子９に漏洩する上側隣接の映像中間周波＋Ｐ及び下側隣接の音声中間周波信号−Ｓのレベルとの差がＳＡＷフィルタ４の隣接チャネルの信号の減衰量よりも大きくなければならない。従って、第一の中間周波増幅回路３の増幅度を、集積回路６の第一の端子８と第二の端子９との間のアイソレーションとＳＡＷフィルタ４の隣接チャネルの信号の減衰量との差の絶対値にＳＡＷフィルタ４の挿入損失を加えた値以上としなければならない。
このため、本実施例の場合、第一の中間周波増幅回路３の増幅度は、２０ｄＢ以上必要となる。
【００１７】
尚、ＳＡＷフィルタ４の前段若しくは後段のどちらに第一の中間周波増幅回路３を設置しても、ＳＡＷフィルタ４を通過して第二の端子９に入力される映像中間周波信号Ｐのレベルと、集積回路６の第一の端子８から第二の端子９に漏洩する上側隣接の映像中間周波信号＋Ｐ及び下側隣接の音声中間周波信号−Ｓとのレベルの差は同じで４５ｄＢであるが、ＳＡＷフィルタ４の前段に第一の中間周波増幅回路３を設置したほうが中間周波信号ＩＦの雑音指数が良い。
【００１８】
【発明の効果】
以上のように、本発明のテレビジョン信号受信チューナーは、少なくとも受信したテレビジョン信号を中間周波信号に周波数変換する混合回路と中間周波回路とを含む集積回路と、前記集積回路とは別体であって増幅度を有する中間周波増幅回路と、前記集積回路とは別体であってテレビジョン信号の中間周波帯域から外れた隣接の帯域を所定の減衰量で減衰させるＳＡＷフィルタとを備え、前記集積回路は少なくとも第一の端子と第二の端子とを有し、前記混合回路で周波数変換された前記中間周波信号を前記第一の端子から出力するとともに、前記中間周波増幅回路と前記ＳＡＷフィルタとを直列に通して、前記第二の端子から前記中間周波回路へ入力し、前記中間周波増幅回路の増幅度を、前記第一の端子と前記第二の端子との間のアイソレーションと前記ＳＡＷフィルタの前記減衰量との差の絶対値に前記ＳＡＷフィルタの挿入損失を加えた値以上としたので、前記第一の端子から前記第二の端子へ漏洩する中間周波信号の影響をほとんど受けずにＳＡＷフィルタの選択度特性をそのまま生かすことができるので隣接チャネルの信号の減衰量を大きくでき、テレビジョン受信機の映像品質を高めることができる。
【００２０】
また、本発明のテレビジョン信号受信チューナーは、前記ＳＡＷフィルタの前段に前記中間周波増幅回路を設けたので、中間周波信号ＩＦの雑音指数が良好で、テレビジョン受信機の映像品質を高めることができる。
【図面の簡単な説明】
【図１】本発明の中間周波回路のブロック構成図である。
【図２】本発明の中間周波回路の選択度特性図である。
【図３】従来の中間周波回路のブロック構成図である。
【図４】従来の中間周波回路の選択度特性図である。
【符号の説明】
１  混合回路
２  局部発振回路
３  第一の中間周波増幅回路
４  ＳＡＷフィルタ
５  中間周波回路
６  集積回路
８  第一の端子
９  第二の端子
１０  出力端子
１１  入力端子
１５  第二の中間周波増幅回路
Ａ  ＳＡＷフィルタの減衰特性
Ｂ  集積回路のアイソレーション
ＢＷ  中間周波帯域
【図１】
0003612224.tif 000002
【図２】
0003612224.tif 000003
【図３】
0003612224.tif 000004
【図４】
0003612224.tif 000005